(57)【要約】【課題】顕微鏡本体から照明ユニットを活線挿抜した際に、制御基板や光源への負荷を軽減することができる簡素な顕微鏡システムを提供する。【解決手段】照明ユニット４ｂと、照明ユニット４ｂに設けられ、照明光を照射する光源９と、照明ユニット４ｂの着脱による挿抜情報を電気的情報として保有する種別部１０と、照明ユニット４ｂに設けられ、光源９と種別部１０に電気的に接続される単一の接続部材１１と、光源９に駆動電力を供給するための照明回路１４と、種別部１０と接続されることで照明ユニット４ｂの挿抜情報を取得する識別回路１６と、光源９と照明回路１４とを接続部材１１を介して電気的に接続する照明信号線と、種別部１０と識別回路１６とを接続部材１１を介して電気的に接続する種別信号線と、を備えるようにする。【選択図】図１
2010271549.tif 000002
【特許請求の範囲】
【請求項１】
照明ユニットと、
前記照明ユニットに設けられ、照明光を照射する光源と、
前記照明ユニットの着脱による挿抜情報を電気的情報として保有する種別部と、
前記照明ユニットに設けられ、前記光源と前記種別部に電気的に接続される単一の接続部材と、
前記光源に駆動電力を供給するための照明回路と、
前記種別部と接続されることで前記照明ユニットの挿抜情報を取得する識別回路と、
前記光源と前記照明回路とを前記接続部材を介して電気的に接続する照明信号線と、
前記種別部と前記識別回路とを前記接続部材を介して電気的に接続する種別信号線と、
を備えることを特徴とする顕微鏡システム。
【請求項２】
顕微鏡本体と、この顕微鏡本体に着脱可能な照明ユニットとを有する顕微鏡システムにおいて、
前記照明ユニットに設けられ、照明光を照射する光源と、
前記照明ユニットの着脱による挿抜情報を電気的情報として保有する種別部と、
前記顕微鏡本体に設けられ、前記光源に駆動電力を供給するための照明回路と、
前記顕微鏡本体に設けられ、単一の接続部材を介して前記種別部と接続されることで前記照明ユニットの挿抜情報を取得する識別回路と、
前記顕微鏡本体と前記照明ユニットとの間に設けられ、前記光源と前記照明回路とを前記接続部材を介して電気的に接続する照明信号線と、
前記顕微鏡本体と前記照明ユニットとの間に設けられ、前記種別部と前記識別回路とを前記接続部材を介して電気的に接続する種別信号線と、
を備えることを特徴とする顕微鏡システム。
【請求項３】
前記照明回路は、前記識別回路で前記照明ユニットからの挿抜情報を取得した後に、前記光源に電力供給することを停止または開始可能であることを特徴とする請求項２に記載の顕微鏡システム。
【請求項４】
前記照明回路は、前記識別回路で前記照明ユニットが前記顕微鏡本体から外れたことを示す挿抜情報を取得した後に、前記光源に電力供給を停止し、再び前記照明ユニットが前記顕微鏡本体に接続されたことを示す挿抜情報を前記識別回路が取得するまで電力供給を停止し続けることを特徴とする請求項２または３に記載の顕微鏡システム。
【請求項５】
前記照明回路は、前記識別回路で前記照明ユニットが前記顕微鏡本体に接続されたことを示す挿抜情報を取得した後に、前記照明ユニットが前記顕微鏡本体から外される前に供給していた電力値を設定し、この電力値に基づいて前記光源に電力供給を開始することを特徴とする請求項２〜４のいずれか一つに記載の顕微鏡システム。
【請求項６】
前記照明回路は、前記識別回路で前記照明ユニットが前記顕微鏡本体に接続されたことを示す挿抜情報を取得した後に、前記光源が最大光量時の電力値を設定し、この電力値に基づいて前記光源に電力供給を開始することを特徴とする請求項５に記載の顕微鏡システム。
【請求項７】
前記照明回路は、前記識別回路で前記照明ユニットが前記顕微鏡本体に接続されたことを示す挿抜情報を取得した後に、前記光源が最小光量時の電力値を設定し、この電力値に基づいて前記光源に電力供給を開始することを特徴とする請求項５に記載の顕微鏡システム。
【請求項８】
照明ユニットと、
前記照明ユニットに設けられ、照明光を照射する光源と、
前記照明ユニットの着脱による挿抜情報を電気的情報として保有する種別部と、
前記照明ユニットに設けられ、前記光源と前記種別部に電気的に接続される単一の接続部材と、
顕微鏡本体に設けられ、前記照明ユニットの前記光源に駆動電力を供給するための照明回路と、
前記顕微鏡本体に設けられ、前記照明ユニットの着脱による挿抜情報を取得する識別回路と、
前記顕微鏡本体に設けられ、前記顕微鏡本体の光学部材を介して標本に照明する第二光源と、
前記顕微鏡本体に設けられ、前記第二光源に駆動電力を供給するための第二照明回路と、
前記顕微鏡本体と前記照明ユニットとの間に設けられ、前記光源と前記照明回路とを前記接続部材を介して電気的に接続する照明信号線と、
前記顕微鏡本体と前記照明ユニットとの間に設けられ、前記種別部と前記識別回路とを前記接続部材を介して電気的に接続する種別信号線と、を備え、
前記第二照明回路は、前記識別回路が取得した前記照明ユニットの挿抜情報に基づいて前記第二光源に電力供給することを停止もしくは開始可能であることを特徴とする顕微鏡システム。
【請求項９】
前記第二照明回路は、前記識別回路で前記照明ユニットが前記顕微鏡本体から外されたことを示す挿抜情報を取得した後に、前記第二光源に電力供給することを停止し、再び前記識別回路で前記照明ユニットが前記顕微鏡本体に接続されたことを示す挿抜情報を取得するまで電力供給を停止し続けることを特徴とする請求項８に記載の顕微鏡システム。
【請求項１０】
前記第二照明回路は、前記識別回路で前記照明ユニットが前記顕微鏡本体に接続されたことを示す挿抜情報を取得した後に、前記照明ユニットが前記顕微鏡本体から外される前に供給していた電力値を設定し、この電力値に基づいて前記第二光源に電力供給を開始することを特徴とする請求項８または９に記載の顕微鏡システム。
【請求項１１】
前記第二照明回路は、前記識別回路で前記照明ユニットが前記顕微鏡本体に接続されたことを示す挿抜情報を取得した後に、前記第二光源が最大光量時の電力値を設定し、この電力値に基づいて前記第二光源に電力供給を開始することを特徴とする請求項１０に記載の顕微鏡システム。
【請求項１２】
前記第二照明回路は、前記識別回路で前記照明ユニットが前記顕微鏡本体に接続されたことを示す挿抜情報を取得した後に、前記第二光源が最小光量時の電力値を設定してから、この電力値に基づいて前記第二光源に電力供給を開始することを特徴とする請求項１０に記載の顕微鏡システム。
【請求項１３】
前記照明ユニットは、前記顕微鏡本体に取り付け可能な光学ユニットに設けられることを特徴とする請求項２〜１２のいずれか一つに記載の顕微鏡システム。
【請求項１４】
前記照明ユニットは、前記光学ユニットに対して着脱可能であることを特徴とする請求項１３に記載の顕微鏡システム。
【請求項１５】
前記照明信号線と前記種別信号線は、単一の多芯ケーブルに接続されていることを特徴とする請求項１〜１４のいずれか一つに記載の顕微鏡システム。
【請求項１６】
前記種別部は、単一の多芯ケーブルに内蔵されていることを特徴とする請求項１〜１５のいずれか一つに記載の顕微鏡システム。
【発明の詳細な説明】
【技術分野】
【０００１】
本発明は、顕微鏡本体に着脱可能な照明ユニットを備える顕微鏡システムに関するものである。
【背景技術】
【０００２】
従来、一般的な顕微鏡では、標本に照射する照明光を作り出すために、ＬＥＤやハロゲンランプなどの光源が用いられている。このような光源を、観察方法の変更、光源の寿命、メンテナンスといった理由で交換する場合には、光源に電力を供給している電源を遮断した後で交換するのが通常である。しかしながら、観察者やＣＳ（カスタマーサポート）担当者の不注意や電源の遮断作業の煩わしさにより、電源が投入された状態で光源を交換してしまうと、意図しない方向に強い光が放出されてしまう。また、不必要に光源が点灯したままになってしまい、無駄な電力を消費してしまう。
【０００３】
そこで、光源交換時の煩わしい電源遮断の作業を省力化した顕微鏡装置が知られている（例えば、特許文献１参照）。特許文献１の顕微鏡装置によれば、照明ユニットに設けられている光源に電力供給するコントローラの電源が投入された状態で照明ユニットが外された場合には、照明ユニットに付属されている接続ロックが外れ、コントローラの電源が遮断される。また、照明ユニットが接続された場合には、照明ユニットに付属されている接続ロックが接続され、コントローラの電源が投入される。
【先行技術文献】
【特許文献】
【０００４】
【特許文献１】特開２００５−３２６６９２号公報
【発明の概要】
【発明が解決しようとする課題】
【０００５】
しかしながら、上記の従来の特許文献１の顕微鏡装置では、コントローラの電源が投入状態で接続ロックが接続されると、コントローラ内部の配線や基板に構成される制御回路のパターンにある浮遊容量の影響で突入電流や起電圧が発生し、制御回路に実装されている電気部品や、コントローラに接続された照明ユニットの光源に大きな負荷を与えてしまうおそれがある。また、接続ロックは、メカニカル的な構造になっているため、構造が複雑化し、顕微鏡としての保守性や組立性が低下し、原価が高くなるおそれがある。
【０００６】
本発明は、上記に鑑みてなされたものであり、顕微鏡本体から照明ユニットを活線挿抜した際に、制御基板や光源への負荷を軽減することができる簡素な顕微鏡システムを提供することを目的とする。
【課題を解決するための手段】
【０００７】
上記した課題を解決し、目的を達成するために、本発明に係る顕微鏡システムは、照明ユニットと、前記照明ユニットに設けられ、照明光を照射する光源と、前記照明ユニットの着脱による挿抜情報を電気的情報として保有する種別部と、前記照明ユニットに設けられ、前記光源と前記種別部に電気的に接続される単一の接続部材と、前記光源に駆動電力を供給するための照明回路と、前記種別部と接続されることで前記照明ユニットの挿抜情報を取得する識別回路と、前記光源と前記照明回路とを前記接続部材を介して電気的に接続する照明信号線と、前記種別部と前記識別回路とを前記接続部材を介して電気的に接続する種別信号線と、を備えることを特徴とする。
【０００８】
また、本発明に係る顕微鏡システムは、顕微鏡本体と、この顕微鏡本体に着脱可能な照明ユニットとを有する顕微鏡システムにおいて、前記照明ユニットに設けられ、照明光を照射する光源と、前記照明ユニットの着脱による挿抜情報を電気的情報として保有する種別部と、前記顕微鏡本体に設けられ、前記光源に駆動電力を供給するための照明回路と、前記顕微鏡本体に設けられ、単一の接続部材を介して前記種別部と接続されることで前記照明ユニットの挿抜情報を取得する識別回路と、前記顕微鏡本体と前記照明ユニットとの間に設けられ、前記光源と前記照明回路とを前記接続部材を介して電気的に接続する照明信号線と、前記顕微鏡本体と前記照明ユニットとの間に設けられ、前記種別部と前記識別回路とを前記接続部材を介して電気的に接続する種別信号線と、を備えることを特徴とする。
【０００９】
また、本発明に係る顕微鏡システムは、上述した発明において、前記照明回路は、前記識別回路で前記照明ユニットからの挿抜情報を取得した後に、前記光源に電力供給することを停止または開始可能であることを特徴とする。
【００１０】
また、本発明に係る顕微鏡システムは、上述した発明において、前記照明回路は、前記識別回路で前記照明ユニットが前記顕微鏡本体から外れたことを示す挿抜情報を取得した後に、前記光源に電力供給を停止し、再び前記照明ユニットが前記顕微鏡本体に接続されたことを示す挿抜情報を前記識別回路が取得するまで電力供給を停止し続けることを特徴とする。
【００１１】
また、本発明に係る顕微鏡システムは、上述した発明において、前記照明回路は、前記識別回路で前記照明ユニットが前記顕微鏡本体に接続されたことを示す挿抜情報を取得した後に、前記照明ユニットが前記顕微鏡本体から外される前に供給していた電力値を設定し、この電力値に基づいて前記光源に電力供給を開始することを特徴とする。
【００１２】
また、本発明に係る顕微鏡システムは、上述した発明において、前記照明回路は、前記識別回路で前記照明ユニットが前記顕微鏡本体に接続されたことを示す挿抜情報を取得した後に、前記光源が最大光量時の電力値を設定し、この電力値に基づいて前記光源に電力供給を開始することを特徴とする。
【００１３】
また、本発明に係る顕微鏡システムは、上述した発明において、前記照明回路は、前記識別回路で前記照明ユニットが前記顕微鏡本体に接続されたことを示す挿抜情報を取得した後に、前記光源が最小光量時の電力値を設定し、この電力値に基づいて前記光源に電力供給を開始することを特徴とする。
【００１４】
また、本発明に係る顕微鏡システムは、照明ユニットと、前記照明ユニットに設けられ、照明光を照射する光源と、前記照明ユニットの着脱による挿抜情報を電気的情報として保有する種別部と、前記照明ユニットに設けられ、前記光源と前記種別部に電気的に接続される単一の接続部材と、顕微鏡本体に設けられ、前記照明ユニットの前記光源に駆動電力を供給するための照明回路と、前記顕微鏡本体に設けられ、前記照明ユニットの着脱による挿抜情報を取得する識別回路と、前記顕微鏡本体に設けられ、前記顕微鏡本体の光学部材を介して標本に照明する第二光源と、前記顕微鏡本体に設けられ、前記第二光源に駆動電力を供給するための第二照明回路と、前記顕微鏡本体と前記照明ユニットとの間に設けられ、前記光源と前記照明回路とを前記接続部材を介して電気的に接続する照明信号線と、前記顕微鏡本体と前記照明ユニットとの間に設けられ、前記種別部と前記識別回路とを前記接続部材を介して電気的に接続する種別信号線と、を備え、前記第二照明回路は、前記識別回路が取得した前記照明ユニットの挿抜情報に基づいて前記第二光源に電力供給することを停止もしくは開始可能であることを特徴とする。
【００１５】
また、本発明に係る顕微鏡システムは、上述した発明において、前記第二照明回路は、前記識別回路で前記照明ユニットが前記顕微鏡本体から外されたことを示す挿抜情報を取得した後に、前記第二光源に電力供給することを停止し、再び前記識別回路で前記照明ユニットが前記顕微鏡本体に接続されたことを示す挿抜情報を取得するまで電力供給を停止し続けることを特徴とする。
【００１６】
また、本発明に係る顕微鏡システムは、上述した発明において、前記第二照明回路は、前記識別回路で前記照明ユニットが前記顕微鏡本体に接続されたことを示す挿抜情報を取得した後に、前記照明ユニットが前記顕微鏡本体から外される前に供給していた電力値を設定し、この電力値に基づいて前記第二光源に電力供給を開始することを特徴とする。
【００１７】
また、本発明に係る顕微鏡システムは、上述した発明において、前記第二照明回路は、前記識別回路で前記照明ユニットが前記顕微鏡本体に接続されたことを示す挿抜情報を取得した後に、前記第二光源が最大光量時の電力値を設定し、この電力値に基づいて前記第二光源に電力供給を開始することを特徴とする。
【００１８】
また、本発明に係る顕微鏡システムは、上述した発明において、前記第二照明回路は、前記識別回路で前記照明ユニットが前記顕微鏡本体に接続されたことを示す挿抜情報を取得した後に、前記第二光源が最小光量時の電力値を設定してから、この電力値に基づいて前記第二光源に電力供給を開始することを特徴とする。
【００１９】
また、本発明に係る顕微鏡システムは、上述した発明において、前記照明ユニットは、前記顕微鏡本体に取り付け可能な光学ユニットに設けられることを特徴とする。
【００２０】
また、本発明に係る顕微鏡システムは、上述した発明において、前記照明ユニットは、前記光学ユニットに対して着脱可能であることを特徴とする。
【００２１】
また、本発明に係る顕微鏡システムは、上述した発明において、前記照明信号線と前記種別信号線は、単一の多芯ケーブルに接続されていることを特徴とする。
【００２２】
また、本発明に係る顕微鏡システムは、上述した発明において、前記種別部は、単一の多芯ケーブルに内蔵されていることを特徴とする。
【発明の効果】
【００２３】
本発明に係る顕微鏡システムによれば、照明ユニットと、前記照明ユニットに設けられ、照明光を照射する光源と、前記照明ユニットの着脱による挿抜情報を電気的情報として保有する種別部と、前記照明ユニットに設けられ、前記光源と前記種別部に電気的に接続される単一の接続部材と、前記光源に駆動電力を供給するための照明回路と、前記種別部と接続されることで前記照明ユニットの挿抜情報を取得する識別回路と、前記光源と前記照明回路とを前記接続部材を介して電気的に接続する照明信号線と、前記種別部と前記識別回路とを前記接続部材を介して電気的に接続する種別信号線と、を備えるので、顕微鏡本体の電源がＯＮ状態で照明ユニットを接続しても、顕微鏡システムに構成される制御回路や光源が、照明ユニットを活線状態で挿入した際に発生する突入電流や起電圧の影響によって負荷を受けることを防ぐことができる。また、これは、単一の接続部材による簡素な構成で実現できる。さらに、例えば顕微鏡本体が照明ユニット以外の光源を備える場合において、この光源への印加電圧、および電流の供給も停止させることにより、光源で必要以上に消費される電力を抑制することができるという効果を奏する。
【００２４】
特に、本発明の請求項５に係る顕微鏡システムにおいては、前記照明回路は、前記識別回路で前記照明ユニットが前記顕微鏡本体から外れたことを示す挿抜情報を取得した後に、前記光源に電力供給を停止し、再び前記照明ユニットが前記顕微鏡本体に接続されたことを示す挿抜情報を前記識別回路が取得するまで電力供給を停止し続ける。そして、前記照明回路は、前記識別回路で前記照明ユニットが前記顕微鏡本体に接続されたことを示す挿抜情報を取得した後に、前記照明ユニットが前記顕微鏡本体から外される前に供給していた電力値を設定し、この電力値に基づいて前記光源に電力供給を開始することを特徴とする。
【００２５】
これによれば、顕微鏡システムに設けられている制御回路の部品や照明ユニットに設けられている光源が、照明ユニットを活線状態で挿入した際に発生する突入電流や起電圧の影響によって負荷を受けることを防ぐことができる。
【００２６】
また、本発明の請求項１０に係る顕微鏡システムにおいては、前記第二照明回路は、前記識別回路で前記照明ユニットが前記顕微鏡本体から外されたことを示す挿抜情報を取得した後に、前記第二光源に電力供給することを停止し、再び前記識別回路で前記照明ユニットが前記顕微鏡本体に接続されたことを示す挿抜情報を取得するまで電力供給を停止し続ける。そして、前記第二照明回路は、前記識別回路で前記照明ユニットが前記顕微鏡本体に接続されたことを示す挿抜情報を取得した後に、前記照明ユニットが前記顕微鏡本体から外される前に供給していた電力値を設定し、この電力値に基づいて前記第二光源に電力供給を開始することを特徴とする。
【００２７】
これによれば、上記の請求項５の発明と同じ効果が得られ、さらに、照明ユニットの挿抜情報により、顕微鏡本体に備わる別の光源に印加電圧、および電流の供給を停止させることができるので、観察中以外では光源を消灯して光源の消費電力の抑制を行うことができる。
【図面の簡単な説明】
【００２８】
【図１】図１は、本発明に係る顕微鏡システムの一例を示す側断面図である。
【図２】図２は、本発明に係る顕微鏡システムの実施例１の対物レンズユニットの側断面図である。
【図３】図３は、本発明に係る顕微鏡システムの実施例１の要部構成図である。
【図４】図４は、本発明に係る顕微鏡システムの実施例１の照明回路と識別回路の構成図である。
【図５】図５は、本発明に係る顕微鏡システムの実施例１のフローチャートである。
【図６】図６は、本発明に係る顕微鏡システムの実施例１の変形例の要部構成図である。
【図７】図７は、本発明に係る顕微鏡システムの実施例２の対物レンズユニットの側断面図である。
【図８】図８は、本発明に係る顕微鏡システムの実施例２の要部構成図である。
【図９】図９は、本発明に係る顕微鏡システムの実施例２の照明回路と識別回路の構成図である。
【図１０】図１０は、本発明に係る顕微鏡システムの対物レンズ種別情報を示すテーブルである。
【図１１】図１１は、本発明に係る顕微鏡システムの実施例２のフローチャートである。
【図１２】図１２は、本発明に係る顕微鏡システムの実施例３の側断面図である。
【図１３】図１３は、本発明に係る顕微鏡システムの実施例３の要部構成図である。
【図１４】図１４は、本発明に係る顕微鏡システムの実施例３の照明回路と識別回路の構成図である。
【図１５】図１５は、本発明に係る顕微鏡システムの実施例３のフローチャートである。
【発明を実施するための形態】
【００２９】
以下に、本発明に係る顕微鏡システムの実施の形態を詳細に説明する。なお、この実施の形態によりこの発明が限定されるものではない。また、図面の記載において、同一部分には同一の符号をつけて説明する。
【実施例１】
【００３０】
まず、本発明の実施例１の顕微鏡システムについて説明する。図１は、実施例１の顕微鏡システムの側断面図である。
【００３１】
図１に示すように、本発明の実施例１の顕微鏡システムは、標本２を載置するステージ３と、標本２の上方に配置される対物レンズユニット４と、対物レンズユニット４を保持するレボルバ５と、レボルバ５の上に配置される鏡筒６とからなる顕微鏡本体１と、対物レンズユニット４とコネクタケーブル１１（接続部材）を介して電気的に接続した制御部８とから構成されている。鏡筒６の前面には接眼レンズ７が接続されており、観察者は接眼レンズ７を覗き込むと標本２の光学像を観察することができる。
【００３２】
（対物レンズユニット）
対物レンズユニット４は、図２に示すように、複数の光学レンズで構成された対物レンズ本体４ａと、対物レンズ本体４ａに対して着脱可能な照明ユニット４ｂとで構成されている。対物レンズユニット４は、図１に示すように、レボルバ５に着脱自在に取り付けができ、レボルバ５の回転操作に応じて対物レンズ本体４ａの複数の光学レンズが標本２の上部に選択的に配置されるようになっている。図２および図３に示すように、照明ユニット４ｂは、標本２に照明光を照射できる光源９と、顕微鏡本体１に対する照明ユニット４ｂの挿抜状態（着脱状態）を示す挿抜情報を電気的情報として保有する種別部１０とを含んでおり、照明ユニット４ｂには、光源９に接続されている電源信号線１９と、照明信号線（１８ａ〜１８ｄ）と、種別部１０と接続されている種別信号線２０と、制御部８のＧＮＤ層に接続されているＧＮＤ信号線２１とを内蔵するコネクタケーブル１１が接続される。
【００３３】
コネクタケーブル１１は、多芯ケーブル１１ａとコネクタ１１ｂとで構成されており、多芯ケーブル１１ａ内部の上記信号線１８ａ〜１８ｄ、１９、２０、２１には接続端子が接続され、コネクタ１１ｂでまとめられている。
【００３４】
（光源）
光源９は、図３に示すように、複数の発光素子１２が用いられ、図２に示すように、これら発光素子１２は、対物レンズ本体４ａに固定された基板に対して、対物レンズ本体４ａの内周を沿うようにドーナツ状に配置されている。発光素子１２としては、例えば、白色ＬＥＤを採用することが考えられ、観察光軸中心に向かって照明できる向きに傾けた状態で基板上に実装されている。また、この回路構成は、図３に示すように、複数の発光素子１２が直列に並んでいる回路が４系統構成されており、これら発光素子１２は対物レンズ本体４ａの内周に沿って隙間なく１列に配置されている。また、各回路はコネクタケーブル１１を介して制御部８に接続されることで、駆動電力が供給され、光源９を調光できる構成になっている。
【００３５】
（種別部）
種別部１０は、照明ユニット４ｂの挿抜情報を電気的な２値データとして保持できる電気的回路になっており、光源９の発光素子１２が配置されている基板に実装されている。この電気的回路は、図３に示すように、１系統になっており、顕微鏡本体１に配置されている制御部８から種別電圧を印加されたときに、電気的な２値データを取得できる識別素子１３が実装されている。識別素子１３は、抵抗または、部品を実装するパット、およびランド間をショートできる部材であれば、何を使っても良い。
【００３６】
挿抜情報は、顕微鏡本体１に接続された照明ユニット４ｂの挿抜情報になっており、電気的な２値データで構成されている。ここで述べる２値データとは、種別信号線２０の種別電圧レベルのことを示しており、Ｈｉｇｈレベルであった場合は「１」、Ｌｏｗレベルであった場合は「０」を示す。
【００３７】
（制御部）
顕微鏡本体１には、制御部８が配置されている。図３および図４に示すように、制御部８は、照明回路１４と、電源回路１５と、識別回路１６とで構成されており、各回路からの信号線は、接続端子（１７ａ〜１７ｇ）に接続され、単一のコネクタ１８にまとめられている。
【００３８】
コネクタ１８は、コネクタケーブル１１のコネクタ１１ｂと電気的に接続でき、コネクタケーブル１１の多芯ケーブル１１ａに内蔵されている照明信号線（１８ａ〜１８ｄ）と、電気信号線１９と、種別信号線２０と、ＧＮＤ信号線２１とをコネクタ１８の接続端子（１７ａ〜１７ｇ）に電気的にそれぞれ接続させることができる。
【００３９】
照明回路１４は、図４に示すように、定電流回路ＣＩが４系統構成されたものであり、コネクタ１８を介して、各定電流回路ＣＩの信号線が繋がっている接続端子（１７ａ〜１７ｄ）と照明信号線（１８ａ〜１８ｄ）が接続されていると、光源９に適切な駆動電流を流せる。また、定電流回路ＣＩの入力部には、４ｃｈタイプのＤＡコンバータ２２があり、定電流回路ＣＩに流す電流値の基準電圧は各チャンネルから出力されている。
【００４０】
電源回路１５は、一般的なスイッチング電源回路が構成されたものであり、図３に示すように、接続端子１７ｅと電源信号線１９が接続されていると、光源９に印加電圧、および電流が供給される構成になっている。また、制御部８の各回路で使用している半導体ＩＣに電力供給される構成になっている。
【００４１】
識別回路１６は、図４に示すように、マイコン２３ａと、演算データなどデータが格納されるＲＡＭ２３ｂと、制御プログラムなどが格納されているＲＯＭ２３ｃと、これらをそれぞれ繋ぐバス２３ｄとで構成されている。
【００４２】
マイコンポート端子２４は、接続端子１７ｆに接続され、図３に示すように、コネクタ１８を介して、種別信号線２０と接続されている。また、マイコンポート端子２４は、マイコン２３ａ内部の基準電圧（Ｖｃｃ）でプルアップされている。
【００４３】
照明ＯＦＦポート端子２５は、照明ＯＦＦ信号線２６に接続されており、マイコン２３ａ内部の基準電圧（Ｖｃｃ）でプルアップされている。また、照明ＯＦＦ信号線２６は、照明回路１４と接続されている。
【００４４】
照明ＯＦＦポート端子２５は、端子の電圧レベルをＬｏｗにすることで、照明回路１４の定電流回路ＣＩに印加される電圧をＤＡコンバータ２２の各チャンネルからの出力電圧に設定でき、端子の電圧レベルをＨｉｇｈにすることで、ＧＮＤレベルに設定される。図３に示すように、接続端子１７ｇとＧＮＤ信号線２１は、コネクタ１８を介して制御部８のＧＮＤ層に接続される。
【００４５】
識別回路１６が照明ユニット４ｂの挿抜状態を認識するには、マイコン２３ａのマイコンポート端子２４の種別電圧レベルをＨｉｇｈレベルにした際の種別部１０に接続される種別信号線２０の種別電圧レベルから照明ユニット４ｂの挿抜状態を認識する。
【００４６】
また、マイコン２３ａは、ＤＡコンバータ２２にシリアル信号を送信することで、ＤＡコンバータ２２の各チャンネルから出力される基準電圧を決定することができる。
【００４７】
ＤＡコンバータ２２とマイコン２３ａの間には、クロック信号線（ＣＬＫ）と、データ入力値（ＤＩ）と、リード信号線（ＬＤ）が接続されている。ＤＡコンバータ２２は、マイコン２３ａからクロック信号線（ＣＬＫ）にクロック信号が入力され、さらに、データ入力線（ＤＩ）にクロック信号と同期したシリアル信号が入力される。最後に、シリアル信号が入力された後、マイコン２３ａからリード信号線（ＬＤ）にリード信号が出力される。ここで、ＤＡコンバータ２２は、マイコン２３ａより、全てのシリアル信号が送信されたことを認識し、送られてきたシリアル信号を基に各チャンネルから出力される基準電圧を決定する。
【００４８】
（作用）
以上のように構成された本実施例１の動作および作用について、図５のフローチャートを用いて説明する。
【００４９】
図５に示すように、まず、顕微鏡本体１のメイン電源（図示しない）がＯＮされると、マイコン２３ａは、ステップＳ１０１において、マイコンポート端子２４の電圧レベルをＨｉｇｈにして、種別信号線２０の種別電圧レベルを読み出す。まず、読み出した種別信号線２０の種別電圧レベルが２値データで「０」であった場合、マイコン２３ａは、照明ユニット４ｂが接続されていることを識別する（ステップＳ１０１がＮ）。照明ユニット４ｂが接続されていることを識別した場合、マイコン２３ａは、ＤＡコンバータ２２にシリアル信号を送信することで、ＤＡコンバータ２２の各チャンネルから出力される基準電圧を決定し（ステップＳ１０７，Ｓ１０８）、さらに、照明ＯＦＦポート端子２５の電圧レベルをＨｉｇｈにすることで、照明回路１４から光源９に印加電圧、および電流の供給が開始される（ステップＳ１０９）。この場合、電力値は、光源９がＭＡＸ光量時（最大光量時）、ＭＩＮ光量時（最小光量時）または任意の所定光量時の電力値を設定することができる。
【００５０】
次に、読み出した種別信号線２０の種別電圧レベルが２値データで「１」であった場合、照明ユニット４ｂは未接続であると識別する（ステップＳ１０１がＹ）。照明ユニット４ｂが未接続であると識別した場合、照明ＯＦＦポート端子２５の電圧レベルをＬｏｗにして、照明回路１４から光源９に印加電圧、および電流が供給されるのを停止させる（ステップＳ１０２）。照明ＯＦＦポート端子２５の電圧レベルをＬｏｗにした設定した後、種別信号線２０の種別電圧レベルの２値データを読み出す（ステップＳ１０３）。読み出した種別電圧レベルが「１」であった場合は、まだ照明ユニット４ｂが未接続であると識別し（ステップＳ１０３がＮ）、種別電圧レベルが「０」になるまで、種別信号線２０の種別電圧レベルの確認を繰り返す。読み出した種別電圧レベルが「０」だった場合は、照明ユニット４ｂが再び接続されたことを識別し（ステップＳ１０３がＹ）、マイコン２３ａはＤＡコンバータ２２にシリアル信号を送信することで、ＤＡコンバータ２２の各チャンネルから出力される基準電圧を決定し（ステップＳ１０４，Ｓ１０５）、さらに、照明ＯＦＦポート端子２５の電圧レベルをＨｉｇｈにすることで、照明回路１４から光源９に印加電圧、および電流の供給が開始される（ステップＳ１０６）。
【００５１】
（効果）
本実施例１の如く構成することで、顕微鏡本体１の電源が投入状態で照明ユニット４ｂを挿抜しても、顕微鏡システムに構成される制御回路や光源が、この際に発生する突入電流や起電圧の影響によって負荷を受けることを防ぐことができる。
【００５２】
（実施例１の変形例）
なお、上記の実施例１とは別の構成を用いても実施例１と同じ作用および効果を得ることができる。次に、この構成について説明する。なお、ここでは、実施例１と異なる部分についてのみ説明することにする。
【００５３】
図６に示すように、顕微鏡本体１には、顕微鏡本体１と照明ユニット４ｂの挿抜（着脱）状態を示す挿抜情報を電気的情報として保有する種別部１０と、種別部１０と接続されている接続端子（１７ｆ〜１７ｇ）が構成されている。
【００５４】
照明ユニット４ｂには、標本２に照射できる光源９と、照明回路１４と、電源回路１５と、識別回路１６と、光源９に電気的に接続されている電気信号線１９と、照明信号線（１８ａ〜１８ｄ）とが構成されている。
【００５５】
種別部１０と接続されている種別信号線２０は、コネクタケーブル１１に内蔵されている。コネクタケーブル１１は、ケーブル１１ａとコネクタ１１ｂとで構成されており、ケーブル内部の種別信号線２０は接続端子に接続され、コネクタ１１ｂを介して種別部１０と接続されている接続端子１７ｆと種別信号線２０を電気的に接続できる。接続端子１７ｇとＧＮＤ信号線２１は、コネクタ１８を介して照明ユニット４ｂに構成されたＧＮＤ層に接続される。
【００５６】
なお、電気回路１５は、照明ユニット４ｂに内蔵するのではなく、図示しない外部ユニットに構成されていても良く、この外部ユニットから照明ユニット４ｂの各回路で使用している半導体ＩＣに電力供給し、さらに、光源９に印加電圧、もしくは電流を供給するようにしてもよい。以上の構成を用いても実施例１と同じ作用・効果を得ることができる。
【実施例２】
【００５７】
次に、本発明の実施例２の顕微鏡システムについて図７〜図１１を参照しながら説明する。以下においては、上記の実施例１と異なる部分についてのみ説明する。
【００５８】
（対物レンズユニット）
図７および図８に示すように、本発明の実施例２の顕微鏡システムの対物レンズユニット４の照明ユニット４ｂは、標本２に照明光を照射できる光源９と、対物レンズの種別情報を電気的情報として保有する種別部１０とを含んでおり、照明ユニット４ｂには、光源９に接続されている電源信号線１９と、照明信号線（１８ａ〜１８ｄ）と、種別部１０に接続されている種別信号線（２０ａ〜２０ｃ）と、制御部８のＧＮＤ層に接続されるＧＮＤ信号線２１とを内蔵するコネクタケーブル１１が接続されている。
【００５９】
（種別部）
種別部１０は、図８に示すように、３系統の電気回路で構成されており、顕微鏡本体１に配置されている制御部８から種別電圧を印加されたときに、電気的な２値データを取得できる識別素子（１３ａ〜１３ｃ）が実装されている。識別素子（１３ａ〜１３ｃ）は、抵抗または、部品を実装するパット、およびランド間をショートできる部材であれば、何を使っても良い。また、並列回路数に応じて、種別できる数量を変えることもできる。例えば、電気回路が３系統構成されている本構成では、８種類（２の３乗）の対物レンズ識別情報を保持できる。
【００６０】
対物レンズ識別情報は、顕微鏡本体１に接続された対物レンズの倍率情報になっており、電気的な２値データで構成されている。ここで述べる２値データとは、種別信号線（２０ａ〜２０ｃ）の種別電圧レベルのことを示しており、Ｈｉｇｈレベルであった場合は「１」、Ｌｏｗレベルであった場合は「０」を示す。
【００６１】
対物レンズ種類の判別方法は、図１０に示すように、読み出した種別信号線（２０ａ〜２０ｃ）の種別電圧レベル（Ｐ２，Ｐ１，Ｐ０）が２値データで「０，０，０」であった場合、マイコン２３ａは、対物レンズ種類が対物レンズＡであることと、対物レンズＡが顕微鏡本体１に接続されていることを識別する。次に、種別電圧レベルが「０，０，１」であった場合、対物レンズＢであることと、対物レンズＢが顕微鏡本体１に接続されていることを識別する。さらに、種別電圧レベルが「０，１，０」であった場合、対物レンズＣであることと、対物レンズＣが顕微鏡本体１に接続されていることを識別する。さらに、種別電圧レベルが「１，１，１」であった場合、接続端子（１７ｆ〜１７ｈ）が開放状態、即ち、コネクタ１８に何も接続されていないので、マイコン２３ａは、対物レンズユニット４が顕微鏡本体１に未接続であることを識別する。
【００６２】
（制御部）
顕微鏡本体１には、制御部８が配置されている。図８に示すように、制御部８は、照明回路１４と、電源回路１５と、識別回路１６とで構成されており、各回路からの信号線は、接続端子（１７ａ〜１７ｉ）に接続され、単一のコネクタ１８にまとめられている。
【００６３】
コネクタ１８は、コネクタケーブル１１のコネクタ１１ｂと電気的に接続でき、コネクタケーブル１１の多芯ケーブル１１ａに内蔵されている照明信号線（１８ａ〜１８ｄ）と、電気信号線１９と、種別信号線（２０ａ〜２０ｃ）と、ＧＮＤ信号線２１とをコネクタ１８の接続端子（１７ａ〜１７ｉ）に電気的に接続させることができる。
【００６４】
照明回路１４は、図９に示すように、定電流回路ＣＩが４系統構成されたものであり、コネクタ１８を介して、各定電流回路ＣＩの信号線が繋がっている接続端子（１７ａ〜１７ｄ）と照明信号線（１８ａ〜１８ｄ）が接続されていると、光源９に適切な駆動電流を流せる。また、定電流回路ＣＩの入力部には、４ｃｈタイプのＤＡコンバータ２２があり、定電流回路ＣＩに流す電流値の基準電圧は各チャンネルから出力されている。
【００６５】
電源回路１５は、一般的なスイッチング電源回路が構成されたものであり、図３に示すように、接続端子１７ｅと電源信号線１９が接続されていると、光源９に印加電圧、および電流が供給される構成になっている。
【００６６】
識別回路１６は、図９に示すように、マイコン２３ａと、演算データなどデータが格納されるＲＡＭ２３ｂと、制御プログラムなどが格納されているＲＯＭ２３ｂと、顕微鏡本体１に接続可能な対物レンズ情報が記憶されているＥＥＰＲＯＭ２３ｅと、これらをそれぞれ繋ぐバス２３ｄとで構成されている。
【００６７】
マイコンポート端子（３１ａ〜３１ｃ）は、接続端子（１７ｆ〜１７ｈ）に接続され、図８に示すように、コネクタ１８を介して、種別信号線（２０ａ〜２０ｃ）と接続されている。また、マイコンポート端子（３１ａ〜３１ｃ）は、マイコン２３ａ内部の基準電圧（Ｖｃｃ）でプルアップされている。接続端子１７ｉとＧＮＤ信号線２１は、コネクタ１８を介して制御部８のＧＮＤ層に接続される。
【００６８】
識別回路１６が対物レンズ種類を識別するには、マイコン２３ａのマイコンポート端子（３１ａ〜３１ｃ）の種別電圧レベルをＨｉｇｈレベルにした際の種別部１０に接続される種別信号線（２０ａ〜２０ｃ）の種別電圧レベルから、ＥＥＰＲＯＭ２３ｅに記憶されている、図１０に示すような対物レンズ情報のテーブルと比較して合致した場合に対物レンズの種別を認識する。
【００６９】
（作用）
以上のように構成された本実施例２の動作および作用について、図１１のフローチャートを用いて説明する。
【００７０】
図１１に示すように、まず、顕微鏡本体１のメイン電源（図示しない）がＯＮされると、マイコン２３ａは、ステップＳ２０１において、マイコンポート端子（３１ａ〜３１ｃ）に電圧レベルをＨｉｇｈにして、種別信号線（２０ａ〜２０ｃ）の種別電圧レベルを読み出す。まず、読み出した種別信号線（２０ａ〜２０ｃ）の種別電圧レベルによって対物レンズの種別が識別できた場合、対物レンズが接続されていると認識し（ステップＳ２０１がＮ）、マイコン２３ａは、ＤＡコンバータ２２にシリアル信号を送信することで、ＤＡコンバータ２２の各チャンネルから出力される基準電圧を決定し（ステップＳ２０７，Ｓ２０８）、照明ＯＦＦポート端子２５の電圧レベルをＨｉｇｈにして、照明回路１４から光源９に印加電圧、および電流の供給が開始される（ステップＳ２０９）。この場合、電力値は、光源９がＭＡＸ光量時（最大光量時）、ＭＩＮ光量時（最小光量時）または任意の所定光量時の電力値を設定することができる。
【００７１】
次に、種別信号線（２０ａ〜２０ｃ）の種別電圧レベルが「１，１，１」であった場合、照明ユニット４ｂを含む対物レンズユニット４が顕微鏡本体１に未接続であることを識別する（ステップＳ２０１がＹ）。照明ユニット４ｂが未接続であると識別した場合、照明ＯＦＦポート端子２５の電圧レベルをＬｏｗにして、照明回路１４から光源９に印加電圧、および電流が供給されるのを停止させる（ステップＳ２０２）。照明ＯＦＦポート端子２５の電圧レベルをＬｏｗに設定した後、種別信号線（２０ａ〜２０ｃ）の種別電圧レベルの２値データを読み出す（ステップＳ２０３）。読み出した種別電圧レベルが「１，１，１」であった場合は、まだ照明ユニット４ｂが未接続であると識別し（ステップＳ２０３がＮ）、対物レンズの種別が行われるまで、種別信号線（２０ａ〜２０ｃ）の種別電圧レベルの確認を繰り返す。対物レンズの種別が行われた場合は、照明ユニット４ｂが再び接続されたことを識別し（ステップＳ２０３がＹ）、マイコン２３ａはＤＡコンバータ２２にシリアル信号を送信することで、ＤＡコンバータ２２の各チャンネルから出力される基準電圧を決定し（ステップＳ２０４，Ｓ２０５）、さらに、照明ＯＦＦポート端子２５の電圧レベルをＨｉｇｈにして、照明回路１４から光源９に印加電圧、および電流の供給が開始される（ステップＳ２０６）。
【００７２】
（効果）
本実施例２の如く構成することで、上記の実施例１と同様の効果が得られる。また、照明ユニット４ｂの挿抜情報という新しい情報を追加しなくても、例えば、対物レンズユニット４の対物レンズ自体が保有している対物レンズ種別情報により、照明ユニット４ｂの挿抜情報を取得できるようにすることで、使用部品点数を増やさず、顕微鏡システムを簡素な構成にすることができる。
【実施例３】
【００７３】
次に、本発明の実施例３の顕微鏡システムについて図１２〜図１５を参照しながら説明する。以下においては、上記の実施例１と異なる部分についてのみ説明する。
【００７４】
図１２および図１３に示すように、本発明の実施例３の顕微鏡システムの顕微鏡本体１には、同軸光源３２（第二光源）が配置されている。同軸光源３２は、照明光軸上に配置された図示しないハーフミラーなどの光学レンズを介して、標本２に対して照明を行うことができる。
【００７５】
（制御部）
照明回路１４は、図１３および図１４に示すように、定電流回路ＣＩが５系統構成されており、コネクタ１８を介して、各定電流回路ＣＩの信号線が繋がっている接続端子（１７ａ〜１７ｄ）と照明信号線（１８ａ〜１８ｄ）が接続されていると、光源９に適切な駆動電流を流せる。さらに、照明回路１４は、本発明の第二照明回路の機能も兼ね備え、同軸照明信号線２９を介して、同軸光源３２に適切な駆動電流を流せる。また、定電流回路ＣＩの入力部には、５ｃｈタイプのＤＡコンバータ２２があり、定電流回路ＣＩに流す電流値の基準電圧は各チャンネルから出力されている。
【００７６】
電源回路１５は、一般的なスイッチング電源回路が構成されたものであり、同軸光源３２と同軸電源信号線３０が接続されていると、同軸光源３２に印加電圧、および電流が供給される構成になっている。
【００７７】
識別回路１６に構成されている同軸照明ＯＦＦポート端子２７は、同軸照明ＯＦＦ信号線２８に接続されており、マイコン２３ａ内部の基準電圧（Ｖｃｃ）でプルアップされている。また、同軸照明ＯＦＦ信号線２８は、照明回路１４と接続されている。
【００７８】
同軸照明ＯＦＦポート端子２７は、端子の電圧レベルをＬｏｗにすることで、照明回路１４の定電流回路ＣＩに印加される電圧をＤＡコンバータ２２の各チャンネルからの出力電圧に設定でき、端子の電圧レベルをＨｉｇｈにすることで、ＧＮＤレベルに設定される。
【００７９】
（作用）
以上のように構成された本実施例３の動作および作用について、図１５のフローチャートを用いて説明する。
【００８０】
図１５に示すように、まず、顕微鏡本体１のメイン電源（図示しない）がＯＮされると、マイコン２３ａは、ステップＳ３０１において、マイコンポート端子２４の電圧レベルをＨｉｇｈにして、種別信号線２０ａの種別電圧レベルを読み出す。まず、読み出した種別信号線２０ａの種別電圧レベルが２値データで「０」であった場合、マイコン２３ａは、照明ユニット４ｂが接続されていることを識別する（ステップＳ３０１がＮ）。照明ユニット４ｂが接続されていることを識別した場合、マイコン２３ａは、ＤＡコンバータ２２にシリアル信号を送信することで、ＤＡコンバータ２２の各チャンネルから出力される基準電圧を決定し（ステップＳ３０７，ステップＳ３０８）、照明ＯＦＦポート端子２５と同軸照明ＯＦＦポート端子２７の電圧レベルをＨｉｇｈにして、照明回路１４から光源９（光源）、および同軸光源３２（第二光源。図中、光源ＩＩと表記してある）に印加電圧、および電流の供給が開始される（ステップＳ３０９）。この場合、電力値は、同軸光源３２がＭＡＸ光量時（最大光量時）、ＭＩＮ光量時（最小光量時）または任意の所定光量時の電力値を設定することができる。
【００８１】
次に、読み出した種別信号線２０ａの種別電圧レベルが２値データで「１」であった場合、照明ユニット４ｂは未接続であると識別する（ステップＳ３０１がＹ）。照明ユニット４ｂが未接続であると識別した場合、照明ＯＦＦポート端子２５と同軸照明ＯＦＦポート端子２７の電圧レベルをＬｏｗにして、照明回路１４から光源９、および同軸光源３２に印加電圧、および電流が供給されるのを停止させる（ステップＳ３０２）。照明ＯＦＦポート端子２５と同軸照明ＯＦＦポート端子２７の電圧レベルをＬｏｗに設定した後、種別信号線２０ａの種別電圧レベルの２値データを読み出す（ステップＳ３０３）。読み出した種別電圧レベルが「１」であった場合は、まだ照明ユニット４ｂが未接続であると識別し（ステップＳ３０３がＮ）、種別電圧レベルが「０」になるまで、種別信号線２０ａの種別電圧レベルの確認を繰り返す。読み出した種別電圧レベルが「０」であった場合は、照明ユニット４ｂが再び接続されたことを識別し（ステップＳ３０３がＹ）、マイコン２３ａはＤＡコンバータ２２にシリアル信号を送信することで、ＤＡコンバータ２２の各チャンネルから出力される基準電圧を決定し（ステップＳ３０４，Ｓ３０５）、照明ＯＦＦポート端子２５と同軸照明ＯＦＦポート端子２７の電圧レベルをＨｉｇｈにして、照明回路１４から光源９および同軸光源３２に印加電圧、および電流の供給が開始される（ステップＳ３０６）。
【００８２】
（効果）
本実施例３の如く構成することで、上記の実施例１と同様の効果を得ることができる。また、照明ユニット４ｂの挿抜情報により、同軸光源３２（第二光源）などの顕微鏡本体１に構成された別の光源に対しても印加電圧、および電流の供給を停止させることができる。このように、照明ユニット４ｂの挿抜情報に応じて、関連する別の照明光源の点灯条件を可変することにより、システムに備わる光源で必要以上に使用される電力の消費を抑制することができる。
【産業上の利用可能性】
【００８３】
以上のように、本発明に係る顕微鏡システムは、顕微鏡本体に着脱可能な照明ユニットを有する顕微鏡システムに有用であり、特に、顕微鏡システムに構成される制御回路や光源が、顕微鏡本体から照明ユニットを活線挿抜した際に発生する突入電流や起電圧の影響によって負荷を受けるのを防止することに適している。
【符号の説明】
【００８４】
１  顕微鏡本体
２  標本
３  ステージ
４  対物レンズユニット
４ａ  対物レンズ本体
４ｂ  照明ユニット
５  レボルバ
６  鏡筒
７  接眼レンズ
８  制御部
９  光源
１０  種別部
１１  コネクタケーブル（接続部材）
１１ａ  多芯ケーブル
１１ｂ  コネクタ
１２  発光素子
１３，１３ａ〜１３ｃ  識別素子
１４  照明回路
１５  電源回路
１６  識別回路
１７ａ〜１７ｉ  接続端子
１８ａ〜１８ｄ  照明信号線
１８  コネクタ
１９  電源信号線
２０，２０ａ〜２０ｃ  種別信号線
２１  ＧＮＤ信号線
２２  ＤＡコンバータ
２３ａ  マイコン
２３ｂ  ＲＡＭ
２３ｃ  ＲＯＭ
２３ｄ  バス
２３ｅ  ＥＥＰＲＯＭ
２４  マイコンポート端子
２５  照明ＯＦＦポート端子
２６  照明ＯＦＦ信号線
２７  同軸照明ＯＦＦポート端子
２８  同軸照明ＯＦＦ信号線
２９  同軸照明信号線
３０  同軸電源信号線
３１ａ〜３１ｃ  マイコンポート端子
３２  同軸光源（第二光源）
【図１】
2010271549.tif 000003
【図２】
2010271549.tif 000004
【図３】
2010271549.tif 000005
【図４】
2010271549.tif 000006
【図５】
2010271549.tif 000007
【図６】
2010271549.tif 000008
【図７】
2010271549.tif 000009
【図８】
2010271549.tif 000010
【図９】
2010271549.tif 000011
【図１０】
2010271549.tif 000012
【図１１】
2010271549.tif 000013
【図１２】
2010271549.tif 000014
【図１３】
2010271549.tif 000015
【図１４】
2010271549.tif 000016
【図１５】
2010271549.tif 000017